(57)【特許請求の範囲】
【請求項１】
インターネット網に接続されたＥメールサーバに公衆回線を介して接続されて、画像を送受信しかつＥメール作成して送受信するファクシミリ装置において、各種の入力及び設定を行う入力装置と、当該入力装置から入力された送信先アドレス、メールのタイトル及びメール本文を記憶するＲＡＭと、各種情報を表示する表示装置とを備えるファクシミリ装置であって、前記入力装置により上記送信先アドレス及びメールのタイトルを入力した後に、スタートボタンを押下することにより、前記ＲＡＭから自動的に前回送信されたメール本文が前記入力装置により編集可能な状態にて読み出されて前記表示装置に表示されるように制御するＣＰＵを備えることを特徴とするファクシミリ装置。
【請求項２】
請求項１に記載のファクシミリ装置において、前記メール本文が前記表示装置に表示された状態にて、再度スタートボタンを押下することによりＥメールの送信を開始することを特徴とするファクシミリ装置。
【請求項３】
請求項１に記載のファクシミリ装置において、前記メール本文が前記表示装置に表示された状態にて、再度スタートボタンを押下することにより前記表示装置に表示されているメール本文を前記ＲＡＭに記憶することを特徴とするファクシミリ装置。
【発明の詳細な説明】
【０００１】
【発明の属する技術分野】
本発明はＥメールの機能を有するファクシミリ装置に関するものである。
【０００２】
【従来の技術】
近年、Ｅメール機能の利便性が評価され、Ｅメール機能を使用する企業が増えてきている。使用に関して一般的にはパソコンが使用されており、使用するためのプロバイダの設定、ＤＮＳの設定、ＩＰアドレスの設定等専門知識が必要であり、パソコンに詳しくない一般ユーザーがＥメール機能を利用するのは非常に困難である。また公衆回線に接続されたファクシミリ装置ではＥメール機能を利用することが出来ない。
【０００３】
【発明が解決しようとする課題】
本発明は、パソコンに詳しくない一般ユーザーでも簡単にＥメール機能が利用できるファクシミリ装置を提供することにある。Ｅメール機能を利用するには一般的にＥメールサーバヘの接続、認証作業、送信する場合は、送信相手のＥメールアドレスの入力送信、Ｅメール本文の入力などＥメールを送信・受信するにあたり必要な情報がある。特に、ファクシミリ装置を使用しＥメールの本文をその都度入力するには操作が複雑であり、また入力ミスも発生する可能性があった。また、せっかく入力し、送信するためにダイヤルしたが、話中等のために送信できずやり直しが必要になる場合など、はじめから再入力しなければならなかった本発明は、本文メッセージの入力作業を簡単にでき、間違いなく入力できるようにしたファクシミリ装置を提供することを目的とする。
【０００４】
【課題を解決するための手段】
本発明は、ファクシミリ装置を使用して送信するＥメールの本文の内容を、送信する度に本体のメモリに記憶させ、次回の送信での本文の入力画面上に自動的に表示することで、特に、同じ本文内容で複数相手先に送信する場合や、同一の相手に繰り返し送信する場合、また、送信開始したがなんらかの不都合により実際には送信できず、再度送信する場合などの入力操作の手順を減らして簡単にすることを可能とし、操作性の向上を考慮されたファクシミリ装置である。
【０００５】
【発明の実施の形態】
本発明の請求項１に記載の発明は、インターネット網に接続されたＥメールサーバに公衆回線にて接続されたファクシミリ装置において、Ｅメール送信のための本文やタイトルやアドレスを入力する時に、前回Ｅメール送信した時の内容を記憶しておいたものを表示するように構成したものであり、Ｅメール送信時の本文メッセージの入力作業が簡単になり、しかも間違いなく入力できるという作用がある。
【０００６】
（実施の形態１）
図１において１０１はファクスを制御するためのＣＰＵ、１０２はプログラムが格納されているＲＯＭ、１０３は、データ等を蓄積するためのＲＡＭ、１０４はＥメールアドレスの入力、及び各種操作に使用する入力装置、１０５は電話回線に接続するための回線制御部、１０６は表示装置、２００はＥメールサーバである。Ｅメールサーバ２００は公衆回線１１０で接続されている。
【０００７】
図２に入力装置１０４の一例を示す。図２において、１０７はＥメール通信であることを指示するためのＥメールボタン、１０８は通信の開始等を指示するためのスタートボタン、１０９はドメインを指示するためのドメインボタンである。
【０００８】
例えば、前回送信したメールと同じ内容の「７ジニ  エキマエ」という文を「taro@pana.com」に、「コンパ  ノ  ケン」というタイトルをつけてメールするときのフローチャート及び表示画面の例を図３示す。
【０００９】
以下図３に示したフローチャートに沿って説明する。まず使用者は、図２に示した「Ｅメール」ボタン１０７を押下し、メール送信を指示する（ステップ５００）。表示装置１０６には「モジＥメール  ソウシン／［スタート］」と表示される。次に使用者が図２に示した「スタート」ボタンを押下１０８すると（ステップ５０１）、アドレス入力画面に移る。アドレス入力画面において、表示装置１０６には「アドレス＝／［モジ，スタート］」と表示される。この状態で使用者は、入力装置１０４を使用しアドレス「taro@pana.com」を入力する（ステップ５０２）。
【００１０】
次いで使用者が図２に示した「スタート」ボタン１０８を押下すると（ステップ５０３）、アドレスを確定し、タイトル入力画面に移る。タイトル入力画面において、表示装置１０６には「タイトル＝／［モジ，スタート］」と表示される。
【００１１】
このタイトル入力画面が表示されている状態において、使用者は入力装置１０４を使用してタイトル、例えば「コンパ  ノ  ケン」を入力する（ステップ５０４）。次いで使用者が図２に示した「スタート」ボタン１０８を押下すると（ステップ５０５）、タイトルを確定し、本文入力画面に移る。この時同時に、ＲＡＭ１０３に記憶されていた前回送信時に入力された文を呼出し、表示装置１０６に表示される。ここでは「７ジニ  エキマエ」という文が呼び出され、表示装置１０６に「メッセージ＝７ジニ  エキマエ／［モジ，スタート］」と表示される。同時に、使用者が文字入力および書き替え可能なメッセージ編集状態になる。使用者は表示装置１０６に表示されたメッセージをそのまま送信しても良いなら「スタート」ボタン１０８を押下し、書き替えたい場合には入力装置１０４を使用して文字を入力する。
【００１２】
表示装置１０６に表示された文を送信するためには、使用者は「スタート」ボタン１０８を押下することによって送信開始を指示する（ステップ５０６）。すると本文のメッセージを確定しＥメール送信開始を指示する。Ｅメール送信開始が指示されると、今回送信する本文メッセージをＲＡＭ１０３に再度記憶し、Ｅメールサーバにメール送信する（ステップ５０８）。Ｅメールサーバは受信したメールをインターネット網へ送信する（ステップ５０９）。
【００１３】
以上実施の形態を示したが、入力装置の種類（例えば音声入力）、記憶装置の種類（例えばフラッシュＲＯＭ）は問わない。
【００１４】
【発明の効果】
以上説明したように本発明によれば、Ｅメール送信時の本文メッセージの入力作業が、簡単にしかも間違いなく入力できるファクシミリ装置が提供できるという効果がある。
【図面の簡単な説明】
【図１】本発明のファクシミリ装置を用いたシステム構成図
【図２】本発明のファクシミリ装置の入力装置の一例を示す概略図
【図３】本発明のファクシミリ装置の操作フローチャート
【符号の説明】
１０１  ＣＰＵ
１０２  ＲＯＭ
１０３  ＲＡＭ
１０４  入力装置
１０５  回線制御部
１０６  表示装置
１１０  公衆回線
２００  Ｅメールサーバ
【図１】
0003690140.tif 000002
【図２】
0003690140.tif 000003
【図３】
0003690140.tif 000004